(57)【要約】      （修正有）【課題】組立性が良好で外観が向上する装飾部材を備えた時計を提供する。【解決手段】時計は、ムーブメントの基板となる地板と、表示車としての日星車６３と、表示車押さえ部材としての日ジャンパーと、日ジャンパーと平面視で重ならない範囲でムーブメントに取付けられる化粧板８と、を備え、その地板の裏側にある部材を上側から見えるように地板に第一の切欠き部４Ａ、化粧板８に第二の切欠き部８Ａを設け、部分スケルトン部を平面視した場合において、化粧板８の切欠き部８Ａの内周が、地板の切欠き部４Ａの内周よりも内側に位置する。【選択図】図２
2018151311.tif 000002
【特許請求の範囲】
【請求項１】
利用者に視認される表面と裏面とを有し、開口部が形成された文字板と、前記文字板の裏面側に設けられたムーブメントとを備え、前記開口部を介して、前記ムーブメントの一部を視認可能な時計であって、
前記ムーブメントは、
前記文字板の裏面側に設けられ、第一の切欠き部を有する地板と、
前記文字板の裏面と前記地板との間に設けられ、第二の切欠き部を有する装飾部材とを備え、
前記文字板の表面を当該表面と垂直な方向から見た平面視において、前記開口部の内側では、前記地板の少なくとも一部を前記装飾部材が覆うように、前記第一の切欠き部の内周よりも前記開口部の内側に前記第二の切欠き部の内周の少なくとも一部が位置する、
ことを特徴とする時計。
【請求項２】
前記装飾部材は前記ムーブメントに含まれる部材に固定される、ことを特徴とする請求項１に記載の時計。
【請求項３】
前記平面視において、前記開口部と前記第一の切欠き部と前記第二の切欠き部とが重なる領域に、針を駆動する駆動部材の少なくとも一部が設けられる請求項１又は２に記載の時計。
【請求項４】
前記駆動部材はテンプ部であることを特徴とする請求項３に記載の時計。
【請求項５】
前記装飾部材は、前記開口部を介して視認可能な傾斜面にダイヤカット面を備えたことを特徴とする請求項１〜４のうちいずれか1項に記載の時計。
【請求項６】
前記ムーブメントは、
前記地板の前記文字板側に取付けられ、歯車を案内するための第二地板と、
前記第二地板の前記文字板側に取付けられる第一の表示車と、
前記第二地板の前記文字板側に取付けられ、前記第一の表示車を前記文字板側から押さえて軸方向に位置決めするための第一の押さえ部材と、
前記第一の押さえ部材の前記文字板側に取付けられる第二の表示車と、
前記第二の表示車を前記文字板側から押さえて軸方向に位置決めするための第二の押さえ部材と、
前記装飾部材は、前記文字板と前記第二地板の間に配置され、前記第二地板に取り付けられ、
前記文字板の前記開口部、前記地板の前記第一の記切欠き部、前記化粧板の前記第二の切欠部及び第二地板開口部は、前記平面視において少なくとも一部が重なる、
ことを特徴とする請求項１〜５のうちいずれか１項に記載の時計。
【請求項７】
前記装飾部材は、前記平面視において前記第一の押さえ部材及び前記第二の押さえ部材と重ならないように配置されることを特徴とする請求項６に記載の時計。
【請求項８】
前記第一の表示車は、日付表示のための指針と一体に回転する日星車であり、前記第一の押さえ部材は、前記日星車の押さえ部材であり、
前記第二の表示車は、月齢を表示するための月齢車であり、前記第二の押さえ部材は、前記月齢車の押さえ部材であることを特徴とする請求項６又は請求項７のいずれかに記載の時計。
【発明の詳細な説明】
【技術分野】
【０００１】
本発明は、時計に関する。
【０００２】
従来の腕時計として、ムーブメントを外部から視認できるように文字板に開口部を設け、その文字板とムーブメントの間に、その文字板とほぼ同じ大きさの装飾板を重ねるものが知られている。この腕時計は、装飾板にも文字板の開口部に合わせた開口部を設けて、ムーブメントを見えるよう装飾の付加された部分スケルトンを形成して、外観を向上させるものがある（特許文献１参照）
【先行技術文献】
【特許文献】
【０００３】
【特許文献１】特許第４５９２９４６号公報
【発明の概要】
【発明が解決しようとする課題】
【０００４】
ところで、付加価値向上のためカレンダー表示機構等の追加表示機能を追加する場合、例えば表示車等を案内したり、軸方向に位置決めする押さえ板を複数に追加する等をしてムーブメントを多層構造にすることが考えられる。しかしながら、そのように積層化が進むと、ムーブメントの奥行が増すため、文字板に開口部を設けて内部を視認できるようにした部分スケルトンにおいて、奥行きが際立ってしまい、見栄えが悪くなるという問題が生じる。
【０００５】
本発明は、上述した事情に鑑みてなされたものであり、部分スケルトンの奥行が目立たずに外観を向上可能な時計を提供することを解決課題としている。
【課題を解決するための手段】
【０００６】
上述の課題を解決するため、本発明に係る時計の一態様は、利用者に視認される表面と裏面とを有し、開口部が形成された文字板と、前記文字板の裏面側に設けられたムーブメントとを備え、前記開口部を介して、前記ムーブメントの一部を視認可能な時計であって、前記ムーブメントは、前記文字板の裏面側に設けられ、第一の切欠き部を有する地板と、前記文字板の裏面と前記地板との間に設けられ、第二の切欠き部を有する装飾部材とを備え、前記文字板の表面を当該表面と垂直な方向から見た平面視において、前記開口部の内側では、前記地板の少なくとも一部を前記装飾部材が覆うように、前記第一の切欠き部の内周よりも前記開口部の内側に前記第二の切欠き部の内周の少なくとも一部が位置する、ことを特徴とする。
【０００７】
上述した時計の一態様によれば、前記装飾部材が覆うように、前記第一の切欠き部の内周よりも前記開口部の内側に前記第二の切欠き部の内周の少なくとも一部が位置するので、ユーザーには地板の第一の切欠き部の切欠いた部分の位置が視認しにくくなるので、奥行きがあることを視認しにくくすることができる。また、前記装飾部材の第二の切欠き部の内周が内側に位置することにより、文字板の開口部、第二切欠き部及び第一切欠き部と光の反射具合が多段階的に変わることよる立体感を出すことで、奥行きがある印象を解消することができる。これらにより、文字板を開口して見えるようにした部分の見栄えがよくなり、時計の外観が向上する。
【０００８】
また、本発明に係る時計の一態様は、前記装飾部材は前記ムーブメントに含まれる部材に固定されることが好ましい。
【０００９】
上述した時計の一態様によれば、前記装飾部材は前記ムーブメントに含まれる部材に固定するため、ムーブメントと装飾部材を一部品として扱うことが可能となる。このため、部品管理上有利になるため、時計全体の製造効率向上に寄与することができる。
【００１０】
上述した時計の一態様において、前記平面視において、前記開口部と前記第一の切欠き部と前記第二の切欠き部とが重なる領域に、針を駆動する駆動部材の少なくとも一部が設けられることが好ましい。
【００１１】
このように、前記平面視において、前記開口部と前記第一の切欠き部と前記第二の切欠き部とが重なる領域とし、その領域に針を駆動する駆動部材の少なくとも一部を設けたため、その駆動部材が文字板の表面から視認することができる。このため、時計の外観の一部として時計における独特の内部構造を見せることで特徴的なデザインとすることができるため、外観を向上させることが可能となる。
【００１２】
上述した時計の一態様において、前記駆動部材はテンプ部であることが好ましい。
【００１３】
このように、前記駆動部材を機械式時計の特徴的な部分であるテンプ部とすることで外観を向上させることが可能となる。
【００１４】
上述した時計の一態様において、前記装飾部材は、前記開口部を介して視認可能な傾斜面にダイヤカット面を備えることが好ましい。
【００１５】
このように、前記装飾部材は、ダイヤカット面を備えることにより、ダイヤカットされた穴外周や外形に沿って作られた面取り面が光を反射し、装飾部材の全体が綺麗に輝いて見えるため、質感が向上し時計の外観を向上させることができる。
【００１６】
上述した時計の一態様において前記ムーブメントは、前記地板の前記文字板側に取付けられ、前記カレンダー表示機構等の追加表示機能用の歯車を案内するための第二地板と、前記第二地板の前記文字板側に取付けられる第一の表示車と、前記第二地板の前記文字板側に取付けられ、前記第一の表示車を前記文字板側から押さえて軸方向に位置決めするための第一の押さえ部材と、前記第一の押さえ部材の前記文字板側に取付けられる第二の表示車と、前記第二の表示車を前記文字板側から押さえて軸方向に位置決めするための第二の押さえ部材と、前記装飾部材は、前記文字板と前記第二地板の間に配置され、前記第二地板に取り付けられ、記文字板の前記開口部、前記地板の前記第一の記切欠き部、前記化粧板の前記第二の切欠部及び第二地板開口部は、前記平面視において少なくとも一部が重なることが好ましい。
【００１７】
上述した時計の一態様においては、第二地板を設けることで、地板の設計変更を行わなくても時計の機能追加を付加することができ、比較的容易かつ多様に付加価値向上をすることが可能となる。また、前記開口部、前記第一の切欠き部及び前記第二の切欠き部と重なる第二地板開口部を設けたので、第二地板を追加しても、文字板上面側から、ムーブメントの一部を視認することが可能となる。また、上述した時計の一態様においても、装飾部材が覆うように、第一の切欠き部の内周よりも前記開口部の内側に前記第二の切欠き部の内周の少なくとも一部が位置するので、ユーザーには地板の第一の切欠き部の切欠いた部分の位置が視認しにくくなるので、奥行きがあることを視認しにくくすることができる。また、装飾部材の第二の切欠き部の内周が内側に位置することにより、文字板開口部、第二切欠き部、第一切欠き部と光の反射具合が多段階的に変わることによる立体感を出すことで、奥行きがある印象を解消することができる。これらにより、文字板を開口して見えるようにした部分の見栄えがよくなり、時計の外観が向上する。
【００１８】
上述した時計の一態様において、前記装飾部材は、前記平面視において前記第一の押さえ部材及び前記第二の押さえ部材と重ならない位置にムーブメントに配置されることが好ましい。
【００１９】
このように、時計の上面視において装飾部材が、第一の押さえ部材及び第二の押さえ部材と重ならない位置に配置されるようにしたため、ムーブメントに第一の押さえ部材及び第二の押さえ部材の脱着に関係なく、装飾部材を脱着することができる。このため、時計全体を組立てる前に装飾部材とムーブメントを一つのユニットとしやすくなるとともに、装飾部材を取付けたまま歯車の位置合わせを行うことも可能となり、製造効率が向上する。また、第一の押さえ部材及び第二の押さえ部材に影響なしに、装飾部材を、他の仕様のものと置き換えることができる。すなわち、ムーブメントに影響を与えることなく、文字板等の外装の仕様変更に追従して、装飾部材を異なる仕様に置き換えることが容易となる。このため、幅広いバリエーションのモデルへの対応が容易となる。
【００２０】
上述した時計の一態様において、前記第一の表示車は、日付表示のための指針と一体に回転する日星車であり、前記第一の押さえ板は、前記日星車の押さえ部材であり、前記第二の表示車は、月齢を表示するための月齢車であり、前記第二の押さえ部材は、前記月齢車の押さえ部材であることが好ましい。
【００２１】
このように、前記第一の表示車は日星針とし、第二の表示車を月齢車としたため、時計に追加機能として、日表示及び月齢表示を加えることが可能となり、時計の付加価値を向上させることが可能となる。
【図面の簡単な説明】
【００２２】
【図１】本発明の実施形態に係る時計の表示部の平面図である。
【図２】本実施形態に係る時計のムーブメントの月齢ジャンパー及び日ジャンパーを取り外した状態の平面図である。
【図３】本実施形態の時計のムーブメントを示す斜視図である。
【図４】本実施形態の時計の地板等の構成部材の位置関係を示す斜視図である。
【図５】化粧板と月齢ジャンパーを取り外した状態のムーブメントの斜視図である。
【図６】日回し車及び月齢回し車を示す斜視図である。
【図７】図５から日ジャンパーを取り外した状態のムーブメントの斜視図である。
【図８】図７から第二地板を取り外したムーブメントの平面図である。
【図９】第二地板を裏面側から見た底面図である。
【図１０】ムーブメントの図２におけるＯ―Ｂ―Ｃ―Ｄ―Ｅ線断面図である。
【図１１】ムーブメントの図２におけるＯ−Ａ線断面図である。
【図１２】ムーブメントの図２におけるＯ−Ｇ線断面図である。
【図１３】ムーブメントの図２におけるＯ−Ｈ線断面図である。
【発明を実施するための形態】
【００２３】
図１は、本発明の実施形態に係る時計の概略構成を示す図である。図１において図示は省略するが、時計１は、外装ケースと、カバーガラスと、裏蓋とを備えている。カバーガラスは、円盤状の文字板１０を覆うように外装ケースに取り付けられている。文字板１０は、ユーザーに情報を表示する表示部として時計１に備えられている。
【００２４】
文字板１０には、指針としての秒針１１，分針１２及び時針１３が設けられている。また、文字板１０は、６時位置に設けられた日付表示兼月齢表示のための小窓１４と、１２時位置に設けられた後述の香箱車７６の巻き残量を表示するパワーリザーブ針２４を備えたパワーリザーブのための小窓１５と、９時位置に設けられた部分スケルトン部１６を備える。
【００２５】
図１のとおり指針軸方向から文字板１０を見た平面視において、部分スケルトン部１６は、文字板１０の開口部１０Ａを通して地板の裏面側（裏側）に配置される駆動部材としてのテンプ３６が上面から視認可能となっている。
【００２６】
小窓１４において、日指示針２２は日付けを指標するための指針であり、目盛２１に表示される1から３１までの数字（本実施形態においては奇数のみを数字で表示し、偶数はドットで表示されている）を指標することにより、日付を表示する。また、月齢表示部２３は、文字板１０の開口部１０Ｂを通して月の満ち欠けのように見せる月マーク４３を備えた月齢車４０が回転することによって、月齢を表示する。
【００２７】
また、時計１には不図示の外装ケースの４時位置には、月齢修正のために使用されるボタン５５が取り付けられるとともに、３時方向の位置にリュウズ２５が備えられる。リュウズ２５が操作されることにより、時刻の修正、日の修正等が行われる。なお、本願において時計１の表面側とは、ユーザーによって情報が視認される表示部である文字板１０側であり、時計を構成する部品の方向を示す際に上面側と呼ぶことがある。裏面側とは、その逆側を意味する。平面視とは、文字板１０の表面を当該表面と垂直な方向から見ることを意味する。軸方向とは、筒車等の歯車の回転軸と平行な直線の方向を意味する。ボタン５５はその位置を説明上わかりやすく示すために図１のように示したが、ボタン５５の具体的形状については、図２に示すとおりとなる。また、ボタン５５のムーブメント接触部（ボタン機構のうち外部からの接触を受ける部分でボタン５５の最も外側）は、誤動作を防ぐために、不図示の外装ケースよりも引っ込んだ位置に設けられ、ボールペンなどの細長い部材で押圧する枕頭ボタンで構成することができる。
【００２８】
図２は第一の押さえ部材としての日ジャンパー６及び第二の押さえ部材としての月齢ジャンパー７を省略した状態のムーブメント２の平面図である。図３は、時計１のムーブメント２の斜視図である。ムーブメントにおける地板４等の板状部材と文字板１０の位置関係を示す斜視図である。なお、図２においては切断線Ｏ−Ｂ−Ｄ−Ｅ−Ｆ等の位置を把握しやすくするために、日ジャンパー６及び月齢ジャンパー７を省略しているが、後述の図１０から図１３までの断面図は、これらを省略していないムーブメント２の断面図を示す。
【００２９】
本実施形態における時計１は、図４に示す通り、基枠となる地板４の上面側（表面側）に第二地板５が配置され、その第二地板５の上に第一の押さえ部材としての日ジャンパー６及び装飾部材としての化粧板８が配置され、更に日ジャンパー６の上に第二の押さえ部材としての月齢ジャンパー７が配置され、その月齢ジャンパー７の上に文字板１０が配置される。
【００３０】
図２のとおり、ムーブメント２は、日回し中間車７１と第一の表示車としての日星車６３を備えるとともに、図５のとおり、第二の表示車としての月齢車４０を備える。図２において、ムーブメント２は、香箱車７６の巻き量を指標するパワーリザーブ針２４を取付けるパワーリザーブ表示筒４５と、パワーリザーブ表示機構の構成要素であるパワーリザーブ伝え歯車４４を備える。また、図３のとおり、ムーブメント２は第二地板５の上面側に装飾部材としての化粧板８を備えるともに、その化粧板８とは上面視において別の領域に、第一の押え部材としての日ジャンパー６及び第二の押え部材としての月齢ジャンパー７が設けられる。図４のとおり、ムーブメント２は、第二地板５の裏面側にムーブメント２の基枠となる地板４を備えるとともに、地板４の裏面側にはテンプ３６が備えられる。また、図２の日回し中間車７１は、図８に示す筒車７０と一体に回転する。筒車７０は時針が取り付けられて１２時間で一回転する。
【００３１】
日星車６３について説明する。図７は、ムーブメント２から日ジャンパー６及び月齢ジャンパー７を取り外した状態を示す斜視図である。図１０は、図２のＯ―Ｂ―Ｃ―Ｄ―Ｅ線断線によるムーブメント２の断面図である。第二地板５には、日星車６３及び日回し車６２が軸支される。日星車６３は、その軸が第二地板５に設けられる案内孔５Ｂに挿入されて回転可能に取り付けられることにより平面方向及び軸方向に位置決めされる。また、日星車６３は、日ジャンパー６により上面側から軸方向に押えられて、位置決めをされている。
【００３２】
日回し車６２の歯は、日回し中間車７１の歯と噛み合っており、日回し中間車７１が１日に２回転すると、日回し車６２が１回転するように設定さている。日回し車６２は、図６のとおり日回し爪６２Ｃを備え、この日回し爪６２Ｃが日星車６３の歯と係合して、日星車６３を一日につき一歯分回転させる。これにより日星車６３の軸に取付けられた日指針２２が一日あたり一目盛分を進むことが可能となっている。なお、図４及び図５に示すように、日ジャンパー６には、ジャンパー部６Ａが備えられ、日星車６３の歯部と係合し、日星車６３の回転方向の位置決めを行うとともに一日ごとに間欠的に回転可能となっている。
【００３３】
月齢車４０について説明する。図１０において、ムーブメント２は、月齢車４０、月齢案内座５４、月齢回し車５２を備える。月齢案内座５４は、日ジャンパー６に日星車６３と同軸になるように形成された筒部６Ｂにより位置決めされる。その月齢案内座５４の立上り部５４Ａの外側で月齢車４０は回転可能に位置決めされる。月齢車４０の軸方向の位置決めは月齢車案座５４と月齢ジャンパー７により行われる。日星車６３の軸５８は、日ジャンパー上の筒部６Ｂと月齢案内座５４の立上り部５４Ａの中を貫通することにより、日星車６３と、月齢案内座５４及び月齢車４０が同軸になるように取り付けられる。
【００３４】
月齢回し車５２は、図１０のとおり、日回し車６２上に配置するとともに、第二地板５の案内孔５Ｃに案内される中心軸７５を、日回し車６２と共通の回転軸として位置決めされ、図６に示す通り、日回し車６２のダボ６２Ｂをダボ受入孔５２Ｂに挿入して取り付ける。このようにして、月齢回し車５２は日回し車６２と同軸かつ同時に回転可能に取り付けられる。なお、軸方向の位置決めは、日回し車６２と月齢回し車５２との両部材を合わせて第二地板５と月齢ジャンパー７によりあがき（隙間）も含んで位置決めされる。
月齢回し車５２は日回し車６２が同時に回転可能とすることで日星車６３の送り位置と月齢車４０の送り位置の位相合わせを行わず組立を可能にしている。なお、月齢回し車のダボ受け入れ孔５２Ｂの位置を変更することで日星車６３の送り位置と月齢車４０の送り位置の位相を調整することが可能なため、日針の切替わりのタイミングと月齢の切替わりのタイミングを合わせことも容易となる。
【００３５】
また、月齢回し車５２は、日回し中間車７１と噛み合っている日回し車６２からダボ６２Ｂにより回転力が伝達されて、日回し中間車７１が１日に２回転すると月齢回し車５２が１回転する。図６のとおり月齢回し車５２は月齢回し爪５２Ｃを備え、この月齢回し爪５２Ｃが月齢車４０の歯と係合して、月齢車４０を一日につき一歯分回転させることにより月マーク４３が一日分回転して進むことが可能となっている。月齢の一周期は約２９．５日であるところ、図３に示す通り、月齢車４０は月マーク４３を１８０度ごとに２つ有し、月齢の二周期分の５９日で一回転する。また、月齢ジャンパー７には、ジャンパー部７Ａが備えられ、月齢車４０の歯部と係合し、月齢車４０の回転方向の位置決めを行うとともに一日ごとに間欠的に回転可能としている。
【００３６】
地板４、第二地板５及び日ジャンパー５等の部材のどうしの取付構造について説明する。図７は、ムーブメント２から日ジャンパー６、月齢ジャンパー７及び化粧板８を取り外した状態の斜視図である。図８は、ムーブメント２から第二地板５を外した状態の平面図である。図７のねじ６１を第二地板５のねじ挿通孔（不図示）にねじを挿通させてねじ孔９３に螺合させることにより、第二地板５は地板４に取付けられる。なお、ねじ孔９３は、第二地板５に直接ねじ孔を切って形成してもよいし、ねじ孔を有する別部材を地板に取付けて設けてもよい。また、ねじ孔９３は、このように第二地板５を取付けるためのねじ孔となるとともに、第二地板５取付けないで、それ以外の押さえ板等の従来の部材を時計に取り付けるねじ孔としても共通に使用できるようにしてもよい。このようなねじ孔９３の共通化により、第二地板５を付けるか否かによって、地板５の設計を変更する必要がないため、仕様変更を簡易に行うことが可能となる。
【００３７】
図５は、ムーブメント２から月齢ジャンパー７を取り外した状態の斜視図である。図５のねじ５１を日ジャンパー６のねじ挿通孔（不図示）にねじを挿通させて図７の第二地板５に設けたねじ孔９１に螺合させることにより、日ジャンパー６は第二地板５に取付けられる。
【００３８】
月齢ジャンパー７のムーブメント２への取付けは、図３のねじ４１と図５のねじ受け部材６８により行う。図１０のとおり、ねじ受け部材６８は、その下部６８Ｂを第二地板５に設けられるねじ受け用孔５Ｄに圧入してはめ込むことにより、第二地板５に固定される。次に月齢ジャンパー７は、ねじ受け部材６８上部の段部６８Ａとねじ４１により軸方向に位置決めされるとともに、ねじ４１によりねじ受け部材６８に固定される。なお、図１０の断面図で示した部分以外にも、図５のとおり、ねじ受け部材６８が３か所において取り付けられるが、ねじ受け部材６８が月齢ジャンパー７に取付けることが可能となるように日ジャンパー６に挿通孔又は切欠きを設けている。
【００３９】
また、図５のとおり、月齢修正レバー５７付近のねじ受け部材６８は、その段部に月齢修正レバー５７を当接して月齢修正レバー５７の回転軸とし、ねじ受け部材６８の段部と月齢ジャンパー７により軸方向の位置決めがされている。この月齢修正レバー５７は、図５のとおり月齢修正伝えレバー５６と係合し月齢修正伝えレバー５６により回転方向の位置決めがされ連動して駆動する。また、図９のとおり、月齢修正伝えレバー５６は、第二地板５の裏側に取付けられる固定ねじ６０を回転中心とし、ピン５９により弾性部５６Ａがねじ６０側に撓まされる。図９においては弾性部５６Ａの弾性力により反時計方向の回転力が発生し、度決め部５６Ｃが第二地板５に当たることにより平面的な位置決めがされる。月齢修正伝えレバー５６は、図５及び図７に示すとおり、第二地板５の表側に、月齢修正レバー５７に係合する係合部５６Ｄが一体で形成されている。ボタン５５がユーザーに押されると、ボタン５５が受け部５６Ｂを押すことで、月齢修正伝えレバー５６に回転力が伝えられ、図５においては反時計方向、図９においては時計方向に回転する。そうすると、月齢修正レバー５７は、図５の状態から上面視において反時計回りに回動する。反時計まわりに回動した月齢修正レバー５７は、先端付近の修正部５７Ａが月齢車４０の歯車に当接することにより、月齢車４０が１歯分の回転をする。
また、ユーザーがボタン５５の押圧をやめるとボタン５５はボタンに形成された戻しばね（不図示なし）で指定位置に戻され、これに伴い受け部５６Ｂに掛かる力が解除され図９において弾性部５６Ａの反時計方向の回転力により度決め位置に月齢修正伝えレバー５６が戻り、月齢修正伝えレバー５７と連動する月齢修正レバー５７も通常位置に復帰する。これによりボタン５５の押圧回数に応じて月齢車４０の歯数が修正される。
【００４０】
図３のねじ４２を化粧板８のねじ挿通孔（不図示）にねじ４２を挿通させて図５の第二地板５のねじ孔９０に螺合させることにより、化粧板８が第二地板５へ取付けられる。図１３のとおり、地板４に文字板受リング１８（図２参照）が取り付けられ文字板受リング１８の上面側に文字板１０が設置される。文字板受リング１８及び文字板１０には不図示の外装ケースが取り付けられる。
【００４１】
図７において、第二地板５上には、第一の表示車である日星車６３と、日星車６３の修正輪列を構成するための日修正車６４，６５、カレンダー修正車６６、第二カレンダー修正車６７が設けられる。これらの歯車は、日ジャンパー６と第二地板５により軸方向の位置決めがされる。また、第二地板５はこれら日星車６３と日星車６３の修正輪列の位置決め回転軸とを案内する役割を有する。また、第二地板５は基枠として機能する地板４と同様に、歯車等の部材を案内や取付をするための凹凸を備えればよく、本実施形態と異なる部材・輪列を取付けてもよい。また、この第二地板５を設けることで、地板４の設計変更を行わなくても第二地板５を追加又は変更して時計１を表示機構等の機能追加を行うことができ、比較的容易かつ多様に付加価値向上をすることが可能となる。また、第二地板５には、地板４と同等の部品を取付けることが可能であり、一般的な押さえ板よりも多様な部品を取付けることが可能である。
【００４２】
図９は、第二地板５を裏面側から見た底面図である。図９のとおり、第二地板５の裏側には第二カレンダー修正車６７のかなが配置されている。第二カレンダー修正車６７のかなの歯部には、ジャンパー６９が係合し、第二カレンダー修正車６７の歯部位置を規制し図１３の小鉄車８５と一体化し回転するカレンダー修正伝え車との係合時の突っ張りを防止する。この第二カレンダー修正車６７は図１１において示すとおり第二地板５を介して裏側にかな、表側に歯車が回転可能に配置されている。図９おいて、小鉄車８５と一体化し回転するカレンダー修正伝え車を仮想として示し、小鉄車８５と一体化し回転するカレンダー修正伝え車が第二カレンダー修正車６７と噛み合う様子を示す。図８のとおり、小鉄車８５は小鉄レバー８４が動くことにより、不図示の小鉄レバー８４の軸を中心に、図８紙面上において上下動可能に取り付けられている。
【００４３】
また、図８及び図１１のとおり、地板４と第二地板５の間の層（第一層）には、巻真８０と連動するおしどり８１、裏押さえ板８２、かんぬき８３、小鉄車８５を有する小鉄レバー８４が備えられる。そして、巻真８０が一段引かれると、かんぬき８３によってつづみ車８６と小鉄車８５が噛み合う。そのとき図９で小鉄車８５を仮想的に示すとおり、小鉄車８５と第二カレンダー修正車６７は噛み合状態のため、リュウズ２５に係合された巻真８０が左に回転すると、その回転力が、つづみ車８６、小鉄車８５、第二カレンダー修正車６７、カレンダー修正車６６、日修正車６４，６５に伝わり、日星車６３が回転する。これらにより日指示針２２の修正が可能である。また、巻真８０が二段引かれた場合には、小鉄レバー８４により、小鉄車８５が日の裏車７４へ移動して噛み合い、かんぬき８３によりつづみ車８６が小鉄車８５に移動して噛み合うため、時間表示の修正が可能となる。時間修正の状態では小鉄車８５が日の裏車７４側に移動するため、第二カレンダー修正車６７との噛合いが外れ、日修正は行われない。
【００４４】
図１１のとおり、日の裏車７４は、その歯車が１時間で一回転する筒かな７３及び筒車７０と噛み合い、筒かな７３の回転を減速して筒車７０へと伝達する。図１２は図２のＯ−Ｇ線のムーブメント２の断面図である。図１２に示すように、香箱車７６の巻き量を示すパワーリザーブ表示機構の構成要素であるパワーリザーブ伝え歯車４４が地板４と第二地板５の間に設けられている。また、パワーリザーブ表示筒４５の先端には、図１のパワーリザーブ針２４が設けられている。地板４の裏側には、香箱車７６が設けられ、香箱車７６の回転は、香箱車の歯車７６Ａと噛み合う二番車７２に伝達され、二番車７２と筒かな７３は、前述の時間修正の場合以外は同時回転する機構となっている。
【００４５】
図８において、地板４は、第一の切欠き部としての切欠き部４Ａを備える。この切欠き部４Ａによって地板４の裏に位置する針を駆動するための駆動部材としてのテンプ３６が表側から見えるようになっている。また、地板４の裏側にある部材としてはテンプ３６のみならず、ガンギ車７７及び二番車７２も切欠き部４Ａによって表側から視認することができる。駆動部材は、これらの部材に限定されることはなく、針を運針、調速又は脱進機にかかわる部材であればどのような部材でもよい。
【００４６】
図４に示すとおり、平面視において、文字板１０の開口部１０Ａの内側では、地板４の少なくとも一部を化粧板８が覆うように、地板４の切欠き部４Ａの内周よりも文字板１０の開口部１０Ａにおける内側に化粧板８の切欠き部８Ａの内周の少なくとも一部が位置するようになっている。
【００４７】
また、更に詳しく説明すると、図４に示す位置関係のとおり、地板４の切欠き部４Ａと、第二地板５の第二地板開口部５Ａと、化粧板８の第二の切欠き部としての切欠き部８Ａは、上面側から見たときに駆動部材の少なくとも一部が見えるように、重なるとともに、軸方向において連通している。ここで、連通とは切欠き又は開口として連続して通じていることを意味する。
【００４８】
図４に示す通り、地板４の裏面側（裏蓋側）には、地板４に取付ける二番受３２が取り付けられ、二番受３２の下には一番受３１が取付けられる。また、二番受３２の下部にはテンプ受３３が取付けられる。また、地板４の裏側には、駆動部材の一つとしてのテンプ３６が取り付けられる。図１３は、図２におけるＯ−Ｈ線によるムーブメント２の断面図である。図１３のとおり、テンプ受３３及び地板４に設けられる耐震軸受３９によりテンプ３６が保持される。このテンプ３６は構成要素としてひげぜんまい３４及びてん輪３５を含む。
【００４９】
図２及び図１３に示すとおり、この駆動部材が上側から見える部分スケルトン部１６（図１参照）は、化粧板８には、切欠き部８Ａのうち外縁８Ｂがあり、前記地板４の切欠き部４Ａのうち外縁がある。ここで、「外縁」とは上面視したときの部分スケルトン部１６における外側にある縁をいう。
【００５０】
このように、化粧板８の切欠き部８Ａの外縁８Ｂを、地板４の切欠き部４Ａの外縁４Ｂよりも、部分スケルトン部１６における内側に位置させたため、視線９９のとおり、ユーザーが部分スケルトン部１６を見たときに、地板４の切欠き部４Ａの切欠き面の軸方向の厚みを視認しにくくなり、奥行きが認識されにくくなる。また、化粧板８の切欠き部８Ａの外縁８Ｂよって文字板開口部１０Ａ、外縁８Ｂ、地板４と多段階的に変わることにより立体感が出ることで奥行き感が解消できる。これにより、部分スケルトン部１６の奥目のように見える悪印象が解消されて見栄えがよくなり、時計１の外観が向上する。
【００５１】
また、化粧板８は、傾斜面８Ｃをダイヤモンドを使用したバイトで穴外周や外形に沿った面取り加工したダイヤカット面としてもよい。ダイヤカットされた穴外周や外形に沿って作られた面取り面が光を反射し、化粧板８の全体が綺麗に輝いて見えるため、質感が向上し時計１の外観が向上する。さらに、化粧板８の穴外周や外形以外の面には模様付けなどを配し装飾部材とすることで時計１の外観が向上する。
【００５２】
また、図１３に示す通り、化粧板８の切欠き８Ａの外縁８Ｂには、裏面側へ延出した延出片８Ｄを設けてもよい。視線９９のとおり、この延出片８Ｄにより、地板４の切欠き部４Ａの切欠き面が更に目立ちにくくなり、更に奥目感が軽減され、外観が向上する。
【００５３】
なお、本実施の形態においては、化粧板８の切欠き部８Ａの外縁８Ｂを、地板４の切欠き部４Ａの外縁４Ｂよりも、部分スケルトン部１６における内側に位置させたが、平面視において、これら両者の外縁４Ｂ，８Ｂが、全部又は一部において、上面視したときに同一位置でもよい。
【００５４】
また、本実施形態においては、化粧板８が、日ジャンパー６及び月齢ジャンパー７と、平面視において重ならない位置に第二地板５上に配置されているので、時計１の全体組立をする前に、化粧板８をムーブメント２に含めて一部品としておくことができ、管理が容易で製造効率を向上させることができる。また、化粧板８を取り外すことなく、日ジャンパー６及び月齢ジャンパー７を脱着できるため、歯車の位相合わせが済んでいるか否かにかかわず化粧板８を取付けることが可能となり、製造順番の自由度を増やすことができ、製造を容易にすることができる。また、外装取り付け前にムーブメント機能に影響を与えることなく、異なるタイプの外装（文字板１０）に合わせて装飾部材を切り替えることが可能となり、幅広いバリエーションのモデル対応が可能となるとともに、製造効率の向上が可能となる。
【００５５】
更に、化粧板８は、図１３のとおり、文字板１０よりも裏面側に位置しているが、化粧板８の一部は文字板１０よりも上面側へ突出するように形成してもよい。また、第一の表示車として日星車を、第二の表示車として月齢車を採用したが、曜日など別の暦表示用の表示車としてもよい。更に３時方向に別の表示を追加する小窓を設けてもよい。
【００５６】
本発明は、機械式時計以外に、モータによって駆動する時計にも適用することができる。また本発明は、上述の実施形態に限らず、本発明の要旨の範囲内において、具体的な構成については、種々の変更、付加が可能である。
【符号の説明】
【００５７】
１…時計、２…ムーブメント、４…地板、４Ａ…切欠き部（第一の切欠き部）、４Ｂ…外縁、５…第二地板、５Ａ…第二地板開口部、６…日ジャンパー（第一の押さえ部材）、７…月齢ジャンパー（第二の押さえ部材）、８…化粧板、８Ａ…切欠き部（第二の切欠き部）、８Ｂ…外縁、８Ｃ…傾斜面、８Ｄ…延出片、１０…文字板、１０Ａ…開口部、１０Ｂ…開口部、１６…部分スケルトン部、３６…テンプ、３９…耐震軸受、４０…月齢車（第二の表示車）、６２…日回し車、６３…日星車（第一の表示車）。
【図１】
2018151311.tif 000003
【図２】
2018151311.tif 000004
【図３】
2018151311.tif 000005
【図４】
2018151311.tif 000006
【図５】
2018151311.tif 000007
【図６】
2018151311.tif 000008
【図７】
2018151311.tif 000009
【図８】
2018151311.tif 000010
【図９】
2018151311.tif 000011
【図１０】
2018151311.tif 000012
【図１１】
2018151311.tif 000013
【図１２】
2018151311.tif 000014
【図１３】
2018151311.tif 000015